(57)【要約】【課題】顧客によって注文操作が行われる飲食注文システムに動画再生機能の改善を図る。【解決手段】本発明に係る飲食注文システムは、動画再生処理からオーダー処理に切り替えられた場合、動画情報の再生を停止して、再生停止位置に関する位置情報をレジューム情報に記憶させ、オーダー処理から動画再生処理に切り替えられた場合、レジューム情報に記憶している位置情報に基づいて動画情報を再生開始させるレジューム管理処理と、会計指示から着席指示の期間に、レジューム情報に記憶している位置情報をクリアするレジュームクリア処理と、を実行可能としたことを特徴とする。【選択図】図１２
2017182651.tif 000002
【特許請求の範囲】
【請求項１】
飲食注文端末と、飲食注文端末にネットワーク接続された管理サーバー装置を備えた飲食注文システムであって、
オーダー処理と動画再生処理とを切り替えて実行可能とするとともに、レジューム管理処理、レジュームクリア処理を実行可能とし、
オーダー処理は、提供する商品に関するメニューを飲食注文端末の表示手段に表示させ、顧客により確定された商品に関する注文情報をネットワークに送信し、
動画再生処理は、顧客により選択された動画情報を再生して表示手段に表示させ、
レジューム管理処理は、動画再生処理からオーダー処理に切り替えられた場合、動画情報の再生を停止して、再生停止位置に関する位置情報をレジューム情報に記憶させ、オーダー処理から動画再生処理に切り替えられた場合、レジューム情報に記憶している位置情報に基づいて動画情報を再生開始させ、
レジュームクリア処理は、会計指示から着席指示の期間に、レジューム情報に記憶している位置情報をクリアすることを特徴とする
飲食注文システム。
【請求項２】
飲食注文端末は、ネットワークから割込指示を受信した際、オーダー処理もしくは動画再生処理を割込処理に切り替え、
レジューム管理処理は、動画再生処理から割込処理に切り替えられた場合、動画情報の再生を停止して、再生停止位置に関する位置情報をレジューム情報に記憶させ、割込処理から動画再生処理に切り替えられた場合、レジューム情報に記憶している位置情報に基づいて動画情報を再生開始させることを特徴とする
請求項１に記載の飲食注文システム。
【請求項３】
レジュームクリア処理は、会計指示、バッシング完了指示、着席指示の何れかの指示に基づいて実行されることを特徴とする
請求項１または請求項２に記載の飲食注文システム。
【請求項４】
レジュームクリア処理は、管理サーバー装置もしくはネットワークに接続されたハンディーターミナルから指示可能としたことを特徴とする
請求項１から請求項３の何れか１項に記載の飲食注文システム。
【請求項５】
レジューム情報には、飲食注文端末が配置されたテーブルを判別するための情報が含まれていることを特徴とする
請求項１から請求項４の何れか１項に記載の飲食注文システム。
【請求項６】
レジューム情報には、飲食注文端末を使用している顧客の会員ＩＤが含まれ、
レジュームクリア処理は、位置情報をクリアする際、会員ＩＤに対応付けて位置情報を保存し、
飲食注文端末もしくは管理サーバー装置は、
会員ＩＤが読み込まれた場合、会員ＩＤに対応する位置情報をレジューム情報に復元させるレジューム復元処理を実行可能とすることを特徴とする
請求項１から請求項５の何れか１項に記載の飲食注文システム。
【請求項７】
管理サーバー装置にネットワーク接続される飲食注文端末であって、
オーダー処理と動画再生処理とを切り替えて実行可能とするとともに、レジューム管理処理、レジュームクリア処理を実行可能とし、
オーダー処理は、提供する商品に関するメニューを表示手段に表示させ、顧客により確定された商品に関する注文情報をネットワークに送信し、
動画再生処理は、顧客により選択された動画情報を再生して表示手段に表示させ、
レジューム管理処理は、動画再生処理からオーダー処理に切り替えられた場合、動画情報の再生を停止させて、動画情報の再生停止位置に関する位置情報をレジューム情報に記憶させ、オーダー処理から動画再生処理に切り替えられた場合、レジューム情報に記憶している位置情報に基づいて動画情報を再生開始させ、
レジュームクリア処理は、会計指示から着席指示の期間に、レジューム情報に記憶している位置情報をクリアすることを特徴とする
飲食注文端末。
【発明の詳細な説明】
【技術分野】
【０００１】
本発明は、レストランなどの飲食店において、顧客自身の操作によって飲食物（商品）を注文可能な飲食注文システム及び飲食注文端末に関する。
【背景技術】
【０００２】
従来、レストラン、居酒屋などの飲食店では、商品となる飲食物を顧客に選択させるため、紙媒体によるメニューが用いられていた。顧客はメニューに記載された飲食物を従業員に口頭で伝えることで、当該商品が行われる。
【０００３】
現在、タブレット端末など各種携帯情報端末の高機能化に伴い、携帯情報端末を飲食注文端末として使用し、従業員に対する業務負担の軽減、経費の削減を図られている。特に、携帯情報端末の高画像化、タッチパネル機能を活かし、従来の紙媒体のメニュー同様に容易に注文を行うことが可能となっている。飲食店に来店した顧客は、自身で飲食注文端末を操作する、所謂セルフ操作にて、従業員を介すことなく飲食物を注文することが可能である。また、飲食注文端末は、従来から飲食店で利用されているＰＯＳなどと連携することで会計の簡易化を図ることも可能である。
【０００４】
このように飲食店において、各種便宜を図ることが可能となる飲食注文端末について、さらなる付加機能を追加するため各種提案が行われている。特許文献１には、このような飲食店用接客管理装置が開示されている。この飲食店用接客管理装置では、発注端末で、テレビ画像、ＶＴＲ再生画像、その他のコンテンツ画像を表示することが開示されている。このような構成により、発注端末を使用する客は、オーダーした料理や商品が手元に届くまでの空き時間にコンテンツ画像を楽しむことができる。
【先行技術文献】
【特許文献】
【０００５】
【特許文献１】特開２００１−１３４６７３号公報
【発明の概要】
【発明が解決しようとする課題】
【０００６】
ところで、飲食注文端末において、動画等を視聴するサービスを提供する場合、本来の機能である商品（飲食物）の注文と、動画再生の両方を実行する必要がある。特許文献１に開示されている飲食店用接客管理装置では、どのようにこれら処理を切り替えるかについての開示は無く、また、切り替えの際における便宜も図られていない。
【０００７】
本発明は、飲食注文端末において、顧客に対して動画を視聴させるサービスを提供するものであり、特に、飲食注文端末における動画再生機能の改善を図ることを目的としている。
【課題を解決するための手段】
【０００８】
そのため、本発明に係る飲食注文システムは、
飲食注文端末と、飲食注文端末にネットワーク接続された管理サーバー装置を備えた飲食注文システムであって、
オーダー処理と動画再生処理とを切り替えて実行可能とするとともに、レジューム管理処理、レジュームクリア処理を実行可能とし、
オーダー処理は、提供する商品に関するメニューを飲食注文端末の表示手段に表示させ、顧客により確定された商品に関する注文情報をネットワークに送信し、
動画再生処理は、顧客により選択された動画情報を再生して表示手段に表示させ、
レジューム管理処理は、動画再生処理からオーダー処理に切り替えられた場合、動画情報の再生を停止して、再生停止位置に関する位置情報をレジューム情報に記憶させ、オーダー処理から動画再生処理に切り替えられた場合、レジューム情報に記憶している位置情報に基づいて動画情報を再生開始させ、
レジュームクリア処理は、会計指示から着席指示の期間に、レジューム情報に記憶している位置情報をクリアすることを特徴とする。
【０００９】
さらに本発明に係る飲食注文システムにおいて、
飲食注文端末は、ネットワークから割込指示を受信した際、オーダー処理もしくは動画再生処理を割込処理に切り替え、
レジューム管理処理は、動画再生処理から割込処理に切り替えられた場合、動画情報の再生を停止して、再生停止位置に関する位置情報をレジューム情報に記憶させ、割込処理から動画再生処理に切り替えられた場合、レジューム情報に記憶している位置情報に基づいて動画情報を再生開始させることを特徴とする。
【００１０】
さらに本発明に係る飲食注文システムにおいて、
レジュームクリア処理は、会計指示、バッシング完了指示、着席指示の何れかの指示に基づいて実行されることを特徴とする。
【００１１】
さらに本発明に係る飲食注文システムにおいて、
レジュームクリア処理は、管理サーバー装置もしくはネットワークに接続されたハンディーターミナルから指示可能としたことを特徴とする。
【００１２】
さらに本発明に係る飲食注文システムにおいて、
レジューム情報には、飲食注文端末が配置されたテーブルを判別するための情報が含まれていることを特徴とする。
【００１３】
さらに本発明に係る飲食注文システムにおいて、
レジューム情報には、飲食注文端末を使用している顧客の会員ＩＤが含まれ、
レジュームクリア処理は、位置情報をクリアする際、会員ＩＤに対応付けて位置情報を保存し、
飲食注文端末もしくは管理サーバー装置は、
会員ＩＤが読み込まれた場合、会員ＩＤに対応する位置情報をレジューム情報に復元させるレジューム復元処理を実行可能とすることを特徴とする。
【００１４】
また本発明に係る飲食注文システムは、
管理サーバー装置にネットワーク接続される飲食注文端末であって、
オーダー処理と動画再生処理とを切り替えて実行可能とするとともに、レジューム管理処理、レジュームクリア処理を実行可能とし、
オーダー処理は、提供する商品に関するメニューを表示手段に表示させ、顧客により確定された商品に関する注文情報をネットワークに送信し、
動画再生処理は、顧客により選択された動画情報を再生して表示手段に表示させ、
レジューム管理処理は、動画再生処理からオーダー処理に切り替えられた場合、動画情報の再生を停止させて、動画情報の再生停止位置に関する位置情報をレジューム情報に記憶させ、オーダー処理から動画再生処理に切り替えられた場合、レジューム情報に記憶している位置情報に基づいて動画情報を再生開始させ、
レジュームクリア処理は、会計指示から着席指示の期間に、レジューム情報に記憶している位置情報をクリアすることを特徴とする。
【発明の効果】
【００１５】
本発明に係る飲食注文システム、飲食注文端末によれば、オーダー処理（あるいは割込処理）から動画再生処理に切り替えられた場合、レジューム情報に記憶されている位置情報を使用して動画再生を再開する構成により、飲食注文端末装置を使用する顧客は、商品の注文を行う飲食端末装置において、快適に動画視聴を楽しむことが可能となる。
【図面の簡単な説明】
【００１６】
【図１】本実施形態の飲食注文システムの構成を示す図
【図２】本実施形態の注文端末、充電台の構成を示すブロック図
【図３】本実施形態の管理サーバー装置の構成を示すブロック図
【図４】本実施形態の飲食注文システムのメイン処理を示すフロー図
【図５】本実施形態の店舗情報のデータ構成を示す図
【図６】本実施形態の顧客関連情報のデータ構成を示す図
【図７】本実施形態のオーダー処理を示すフロー図
【図８】本実施形態のオーダー画面を示す図
【図９】本実施形態の注文確認画面を示す図
【図１０】本実施形態の動画再生処理を示すフロー図
【図１１】本実施形態の動画選択画面を示す図
【図１２】本実施形態の動画再生画面を示す図
【図１３】本実施形態の割込処理を示すフロー図
【図１４】本実施形態の割込処理時の画面（タイムセール受注画面）を示す図
【図１５】他の実施形態の顧客関連情報のデータ構成を示す図
【発明を実施するための形態】
【００１７】
図１は、本発明の実施形態に係る飲食注文システムの構成を示す図である。この図は、ある飲食店の店内の様子を模式的に示した図である。飲食店は大きく分けて顧客に飲食物を提供する場となるフロアと、飲食物を調理する場となるキッチン（厨房）に分けられている。
【００１８】
フロアには、飲食注文システムを統括して管理する管理サーバー装置１、各テーブルにおいて顧客が操作する注文端末３ａ〜３ｄ、従業員が携帯することで、受注処理、あるいは、注文状況などの各種情報を確認するためのハンディーターミナル９ａ、９ｂが設置される。この他、入店した顧客に対して予約、あるいは、入店待ち時間などを知らせるためのウェイティング端末６が設置されている。
【００１９】
一方、キッチン（厨房）には、料理人に対して注文状況などを知らせるキッチン端末５、キッチンプリンター５１が設置されている。注文端末３にて受けた注文情報は、このキッチン端末５、キッチンプリンター５１に出力され、料理人は受注した商品を確認することが可能となっている。また、本実施形態では、タイムセール商品を登録するための登録端末５２が配設されている。キッチンでは、この登録端末５２を使用してタイムセール商品を登録することで、各注文端末３ａでのタイムセール商品を注文可能とすることが可能となっている。本実施形態の登録端末５２は、注文端末３ａと同じ、もしくは、同様の機能を有する携帯情報端末にて構成されているため、ブロック図などその詳細についての説明は注文端末３ａを代用することとする。
【００２０】
これら店内に設置された各種端末、装置は、ＬＡＮ２、あるいは、アクセスポイント２２にて有線、無線によりネットワーク接続されている。この例では、管理サーバー装置１、キッチン端末５、キッチンプリンター５１は、有線でネットワークに接続されている。また、注文端末３、ハンディーターミナル９、ウェイティング端末６は、アクセスポイント２２を介して無線でネットワークに接続されている。
【００２１】
さらに店舗内のネットワークはルーター２１を介してインターネットに接続されており、インターネット上の各種サーバー装置と通信を行うことを可能としている。店舗内に設置された各種装置、端末は、このルーター２１を介してインターネット上の各種サーバー装置と通信し、各種情報をやりとりすることが可能となっている。
【００２２】
図２は、本発明の実施形態に係る注文端末３、充電台４の構成を示すブロック図である。注文端末３は、制御手段として機能するＣＰＵ３４ａ、ＲＯＭ３４ｂ、ＲＡＭ３４ｃ、画像処理部３４ｄ、音声処理部３４ｅを有している。ＣＰＵ３４ａは、ＲＯＭ３４ｂあるいはＳＳＤ３５などの記憶手段に記憶されたプログラムに基づいて、注文端末３の処理全体を統括制御する。その際、一時的に生成されたデータなどはＲＡＭ３４ｃに記憶される。
【００２３】
画像処理部３４ｄは、ＣＰＵ３４ａで処理されたデータを画像に変換し、表示部３２ａに表示出力する。音声処理部３４ｅは、ＣＰＵ３４ａで処理されたデータを音声に変換し、スピーカーに音声出力する。
【００２４】
本実施形態では、表示部３２ａとタッチパネル３２ｂとでタッチパネルモニター３２が構成されている。このタッチパネル３２ｂは、表示部３２ａに表示されるアイコンやスイッチなどの各種オブジェクトに対応して、ユーザーからの入力を受け付ける入力手段として機能する。注文端末３には、このタッチパネル３２ｂ以外にも機械的なスイッチなどの入力手段を設けることとしてもよい。タッチパネル３２ｂからの入力情報は、インターフェイス３７ｂを介してＣＰＵ３４ａに伝達される。
【００２５】
ＳＳＤ３５（Solid State Drive）は、半導体メモリで構成され、注文端末３の記憶手段として機能する。ＳＳＤ３５には、注文端末３を動作させるために必要な各種プログラム情報、あるいは、画像（静止画、動画）、音声などの各種コンテンツなどを記憶する。記憶手段としては、ＳＳＤ３５以外に、ハードディスク等、他の形態の記憶手段を使用することも可能である。
【００２６】
注文端末３は、外部からの情報を検出する手段として、撮像手段３６ａ、ＮＦＣセンサー３６ｂ、照度センサー３６ｃを備えている。撮像手段３６ａは、ＣＣＤなどで構成され、外部の様子を静止画、動画として取得することが可能である。この撮像手段３６ａを介して顧客の提示するクーポン券などを撮影、認識し、会計時における割引などに使用するなどのサービスに使用することが考えられる。ＮＦＣセンサー３６ｂは、非接触でカード媒体、あるいは携帯情報端末と通信を行うためのセンサーである。このＮＦＣセンサー３６ｂを使用して顧客の会員情報（会員ＩＤ等）の読み取り、あるいは、顧客の所持する携帯情報端末に対する各種情報の提供を行うことが可能である。照度センサー３６ｃは、表示部３２ａの輝度調整に使用されるセンサーである。この照度センサー３６ｃで読み取った周囲の輝度に基づいて、表示部３２ａの輝度を調整することで、周囲環境に応じた見やすい画面を表示することが可能となる。
【００２７】
本実施形態の注文端末３は、さらに無線通信部３８を有している。この無線通信部３８はアンテナ３８ａを備え、無線ＬＡＮ規格による無線通信を可能としている。注文端末３は、図１に示されるアクセスポイント２２と無線接続することで、ＬＡＮ２にて構成されたネットワークに参加可能し、管理サーバー装置１、キッチン端末５などの各種装置、端末との接続、あるいは、ルーター２１を介したインターネット接続を可能としている。
【００２８】
この注文端末３は、バッテリー３９を備え、外部電源に接続することなく単独での使用が可能である。このバッテリー３９は、充電端子３３と電源線Ｌｐで接続されており、外部から供給される電源にて充電することが可能である。ＣＰＵ３４ａは、バッテリー３９の残量や、充電状況などを監視することが可能となっている。充電端子３３は、充電台４（クレードル）側の給電端子４２と電気的に接続することで、バッテリー１９に対する充電が可能となっている。
【００２９】
注文端末３を充電する充電台４は、ＤＣ変換部４１を有している。このＤＣ変換部４１は、電源ライン４３から供給される交流電源を、設定された電圧の直流電源に変換し、電源線Ｌｐを介して給電端子４２に供給する。
【００３０】
図３は本発明の実施形態に係る管理サーバー装置１の構成を示すブロック図である。管理サーバー装置１は、飲食店の出入口付近等に設置され、管理者によって使用される装置である。本実施形態では、飲食注文システムを統括して管理する他、販売実績を集計するＰＯＳ端末、そして、会計やレシート（領収書）の発行などを行う会計端末としても機能する。この管理サーバー装置１は、通常のパーソナルコンピューターにて構成することが可能である。管理サーバー装置１は、制御部として、ＣＰＵ１１ａ、ＲＯＭ１１ｂ、ＲＡＭ１１ｃ、画像処理部１１ｄ、音声処理部１１ｅを有する。画像処理部１１ｄは、ＣＰＵ１１ａで処理したデータを表示部１７ａに表示出力する。また、音声処理部５１ｅは、ＣＰＵ１１ａで処理したデータをスピーカーに音声出力する。
【００３１】
また、管理サーバー装置１は、記憶手段としてＨＤＤ１２（ハードディスク）を有している。記憶手段としてはＨＤＤ１２以外に、ＳＳＤ（Solid State Drive）など各種形態を採用することが可能である。ＨＤＤ１２には管理サーバー装置１の各種処理を実行するために必要なプログラムやデータを記憶する。
【００３２】
通信部１３は、管理サーバー装置１をＬＡＮ２に有線接続することで、管理サーバー装置１をネットワークに参加可能としている。管理サーバー装置１は、通信部１３を介して、システム内の注文端末３、キッチン端末５、キッチンプリンター５１、ウェイティング端末６、ハンディーターミナル９と通信可能としている。また、ルーター２１を介してインターネットと各種通信を行うことも可能となっている。
【００３３】
インターフェイス１４には、キーボードやマウスなどの入力手段が接続可能となっている。管理者はこの入力手段を介して、管理サーバー装置１を操作する。また、本実施形態のインターフェイス１４には、入力手段としてタッチパネル１７ｂが接続されており、表示部１７ａとともにタッチパネルモニター１７を構成している。管理者はこのタッチパネルモニター１７によって、注文端末３と同様、タッチ入力を行うことが可能である。
【００３４】
さらにインターフェイス１４には、レシートプリンター１６が接続されており、管理サーバー装置１にて処理した情報を印字出力することが可能となっている。管理サーバー装置１にて会計機能を行う場合には、このレシートプリンター１６にてレシート（領収書）を印字することで顧客に手渡すことが可能となる。
【００３５】
では、このような飲食注文システムにおいて実行される各種処理について説明する。図４は、飲食注文システムにて実行されるメイン処理を示したフロー図である。このメイン処理は一人の顧客、あるいは、１つの顧客グループ（テーブル）に対して行われる一連の処理を示したものである。まず、空席のテーブルに対して顧客、あるいは、顧客グループが案内されると、従業員はハンディーターミナル９、あるいは、管理サーバー装置１に対して顧客に関する情報を入力する。Ｓ１０１における着席判定は、この顧客に関する情報入力に基づいて実行され、案内されたテーブルに設置された注文端末３は、Ｓ２００以降の処理を開始する。
【００３６】
本実施形態では、入店した顧客の着席が判定された後（Ｓ１０１：Ｙｅｓ）、顧客から注文端末３において商品の注文を受け付けるオーダー処理（Ｓ２００）が開始される。なお、このオーダー処理（Ｓ２００）は、注文端末３の記憶手段（ＳＳＤ３５など）に記憶されるプログラムで実行されるものであってもよいし、管理サーバー装置１の記憶手段（ＨＤＤ１２など）に記憶されるプログラムで実行であってもよい。あるいは、注文端末３側で記憶するプログラムと、管理サーバー装置１側で記憶するプログラムが連携して実行されるものであってもよい。このオーダー処理（Ｓ２００）については、後で詳細に説明を行う。
【００３７】
会計（顧客の退店）が指示された場合、会計処理（Ｓ１０２）が実行される。会計指示は顧客自身が注文端末３に対して入力することとしても、あるいは、従業員に退店する旨を伝え、従業員がハンディーターミナル９、あるいは、管理サーバー装置１に入力して行うこととしてもよい。会計処理（Ｓ１０２）では、オーダー処理（Ｓ２００）で注文した商品の合計金額が算出され、顧客による支払い、並びに、レシートプリンター１６によるレシート（領収書）の印刷が実行される。この会計処理（Ｓ１０２）の後、顧客によって使用されたテーブルは、バッシング待ち（清掃待ち）の状態となる（Ｓ１０３）。従業員によるテーブルの清掃が完了し、当該テーブルが次の顧客を受け入れ可能となった場合、ハンディーターミナル９、あるいは、管理サーバー装置１に対してバッシング完了指示が入力され、次の顧客（顧客グループ）に対する処理が再度開始される。また、本実施形態では、このバッシング完了指示に基づいて、動画再生に関連したレジュームクリア処理（Ｓ１０５）が実行される。この処理については後で詳しく説明を行う。
【００３８】
では、本発明において特徴となるオーダー処理（Ｓ２００）についてその詳細を説明する。
【００３９】
図５、図６は、飲食注文システムにおいて使用される各種データの構成を示した図であって、図５は、本発明の実施形態に係る店舗情報のデータ構成を、図６は、本発明の実施形態に係る顧客関連情報のデータ構成を示したものである。これら店舗情報、顧客関連情報は、管理サーバー装置１の記憶手段（ＨＤＤ１２）で蓄積、管理される。
【００４０】
店舗情報は、商品マスター情報、テーブル−端末情報、タイムセール情報、動画管理情報、動画情報などを含んで構成されている。商品マスター情報は、飲食店で扱う商品について各種情報を規定した情報であって、本実施形態では、商品コード、商品名、単価などを含んで構成されている。テーブル−端末情報は、店舗内のどのテーブルにどの注文端末３が設置されているかを示す情報である。注文端末３の不良、故障などにより注文端末３を交換する必要がある場合は、このテーブル−端末情報を書き換えることで、新たに設置された注文端末３をテーブルに紐付けることが可能となっている。テーブル−端末情報の書き換えは、例えば、注文端末３の設置時に、注文端末３にテーブル番号などの識別情報を入力することで行うこと等によって行われる。
【００４１】
本実施形態の店舗情報は、後に説明するタイムセールのための割込処理を実行するため、タイムセール情報を有して構成される。このリアルタイムセール情報は、予め店舗情報として登録されている商品マスター情報とは異なり、キッチンに配設された登録端末５２で登録されたタイムセール商品に関する情報である。本実施形態では、このタイムセール情報として、タイムセールの識別情報としてのタイムセールコード（シリアル番号などで構成）、商品コード、商品名、単価、販売可能数量、販売条件、画像情報などを含んで構成される。このタイムセール情報に基づいて、各注文端末３に対して商品のタイムセールを行うことが可能となる。
【００４２】
タイムセール情報中、販売可能数量は、商品を限定数とした場合に設定される情報であって販売上限数に相当する情報である。販売条件は、テーブル毎の販売制限数、一人あたりの販売制限数、女性限定、など顧客属性に基づく販売条件を規定した情報である。この他、タイムセール情報には、画像情報を含めることが可能であって、画像情報には、登録端末５２などを使用して、キッチンにて撮影された現物の商品、あるいは、現物の商品に使用した素材などの写真を使用することが可能である。画像情報には、写真のような静止画像に限ることなく、調理風景を撮影した動画像を採用することが可能である。この他、タイムセール情報には、キッチンで録音した音声などを含めることとしてもよい。
【００４３】
また、本実施形態では、店舗情報として、顧客に動画視聴させるための動画管理情報、動画情報を有している。本実施形態では、動画管理情報、動画情報を管理サーバー装置１に記憶しており、再生要求のあった注文端末３ａ〜３ｄに対して、動画情報を配信することとしている。動画情報は、各注文端末３ａ〜３ｄに予め記憶させておく形態、あるいは、インターネット上の動画配信サーバー装置に記憶させておき、再生要求によって受信すること等、各種形態が考えられる。また、注文端末３ａ〜３ｄでは、動画情報をダウンロードして再生する形態の他、ストリーミング形態で再生することとしてもよい。
【００４４】
動画管理情報は、ユーザーに再生させる動画情報を選択させるため、動画タイトル、動画サブタイトル、サムネイル画像等、各種属性情報を記憶している。また、動画管理情報と動画情報には動画ＩＤが付与されており、動画管理情報を使用して選択された動画情報を特定することが可能となっている。
【００４５】
図６の顧客関連情報は、顧客の来店によって生成される情報であり、テーブル情報、注文履歴情報（注文情報）、レジューム情報などを含んで構成されている。テーブル情報は、顧客の来店時、従業員のハンディーターミナル９、管理サーバー装置１の操作によって入力される情報であり、顧客（顧客グループ）に関する情報で構成される。入店コードは、顧客（顧客グループ）毎に割り振られる識別情報であって、顧客（顧客グループ）毎に加算されるシリアル番号などにて構成される。テーブルコードは顧客が着席したテーブルを示す識別情報である。入店日時は、顧客（顧客グループ）の入店した日時であって、テーブル情報を作成した際の日時が自動入力される。この他、オプション情報として、顧客（顧客グループ）の人数、あるいは、顧客（顧客グループ）の性別、年齢（年齢層）などの顧客属性を含めることとしてもよい。このようなオプション情報は、従業員による目視確認に基づき判断され、ハンディーターミナル９、管理サーバー装置１に対して入力される。
【００４６】
注文履歴情報（注文情報）は、テーブルに着席した顧客によって注文端末３から送信され、管理サーバー装置１に記憶された情報である。ここでは、注文端末３から送信された情報を注文情報、管理サーバー装置１に記憶された情報を注文履歴情報と呼んでいるが、その内容は同等のものである。この注文履歴情報（注文情報）は、注文した各商品について商品コード、数量、注文日時が含まれている。また、入店コードが合わせて記憶されており、商品マスター情報とつき合わせることで、入店コード毎、すなわち、顧客（顧客グループ）毎の合計額を算出し、会計処理を行うことが可能となっている。なお、注文した商品がタイムセール商品の場合、注文履歴情報（注文情報）には、タイムセールコードが併せて記録される。注文履歴情報に記録されたタイムセールコードをカウントすることで、販売総数量をカウントすることが可能となり、販売可能数量が設定されたタイムセール商品の品切れを判定することが可能となる。
【００４７】
レジューム情報は、顧客の滞在中、注文端末３において視聴している動画情報が、再生停止された場合、動画情報の再生停止位置に関する位置情報を記憶している。本実施形態のレジューム情報は、位置情報の他、再生停止された動画情報を識別するための動画ＩＤ、注文端末３が設置されているテーブルを示すテーブルコードを記憶している。レジューム情報は、注文端末３で記憶管理してもよいが、本実施形態では、レジューム情報を管理サーバー装置１で記憶管理している。例えば、注文端末３の故障、また、テーブルに充電台４が設けられていない利用形態においてバッテリー切れとなった場合、注文端末３を交換することが考えられる。本実施形態のように、レジューム情報にテーブルコードを対応付けておくことで、注文端末３が交換された場合であっても、同テーブルに設置された新たな注文端末３において位置情報に基づいて動画再生を再開させることが可能となっている。このように本実施形態では、レジューム情報に、注文端末３が設置されているテーブルを判別するための情報として、テーブルコードを含ませている。なお、テーブルを判別するための情報としては、テーブルコードに代え、注文端末コードであってもよい。テーブル−端末情報を参照することで注文端末３が設置されているテーブルを判別することができる。
【００４８】
図７は、本発明の実施形態に係るオーダー処理を示すフロー図である。このオーダー処理（Ｓ２００）では、商品マスター情報に登録されている商品を基本として注文することが可能である。オーダー処理（Ｓ２００）が開始されると、商品マスター情報に登録されている商品についてメニュー表示が実行される（Ｓ２０１）。図８には、注文端末３のタッチパネルモニター３２に表示されたオーダー画面が示されている。本実施形態のオーダーは、商品毎の種別毎に階層化されており、多くの商品の中から効率的に選択することが可能となっている。そのため、画面上部には種別を選択するための種別選択欄３Ａが設けられている。顧客はこの種別選択欄３Ａの中から所望のタブを選択して、メニュー欄３Ｂに表示される商品をタッチして選択することができる。また、この種別選択欄３Ａの右端には「動画」と表示されたタブが設けられており、顧客はこのタブを操作することで、動画情報を視聴することが可能となる。
【００４９】
メニュー欄３Ｂは、操作ボタン３Ｃ、３Ｄを操作することで左右にスクロール表示させることが可能となっている。各商品は、その商品画像、商品名、価格（単価）が表示されている。顧客によるタッチで選択された商品は、選択商品名欄３Ｅに表示され、顧客はプラスボタン、マイナスボタンで構成された数量選択ボタン３Ｆを使用して、注文数量を指定する（Ｓ２０５；Ｙｅｓ）。数量選択ボタン３Ｆで指定された商品は、カートに格納される（Ｓ２０６）とともに、選択商品欄３Ｇ内に、サムネイル画像（ＳＮ）と商品名が表示される。画面右下には、注文確認ボタン３Ｈが設けられており、顧客がこの注文確認ボタン３Ｈを操作した場合、図９に示す注文確認画面に移行し、カートに入れた商品の確認が行われる。本実施形態では、カート内注文内容を表示する注文商品欄３Ｊ内に、各商品の数量を変更するボタンが設けられており、顧客は商品の注文を確定する前に修正することが可能となっている。
【００５０】
注文内容を確認した顧客は、注文確定ボタン３Ｌを操作することで注文を確定し（Ｓ２０７：Ｙｅｓ）、確定された注文商品は、その数量、入店コード、注文日時などを対応付け、注文情報としてネットワークに送信される（Ｓ２０８）。ネットワークに送信された注文情報は、管理サーバー装置１に注文履歴情報として蓄積されるとともに、キッチン端末５、キッチンプリンター５１などに送信され、調理、配膳のために使用される。
【００５１】
一方、注文確認画面において、左下に表示されるもどるボタン３Ｋが操作された場合には、図８に示すオーダー画面に戻る。このオーダー処理（Ｓ２００）は、顧客による会計指示（退席指示ともいう）にて終了する（Ｓ２０４：Ｙｅｓ）。注文端末３からの会計指示、あるいは、従業員に対して退席する旨を告げ、従業員によるハンディーターミナル９、あるいは、管理サーバー装置１の操作によって会計指示が入力されると、このオーダー処理（Ｓ２００）を終了し、図４のメイン処理中の会計処理（Ｓ１０２）へと移行する。
【００５２】
注文端末３では、オーダー処理（Ｓ２００）の他、動画情報を再生する動画再生処理を実行することが可能である。図８で説明したオーダー画面の種別選択欄３Ａ中、「動画」と表記されているタブがユーザーによって選択される（Ｓ２０２：Ｙｅｓ）と、動画再生処理（Ｓ３００）が開始される。図１０は、本実施形態の動画再生処理（Ｓ３００）を示すフロー図である。動画再生処理（Ｓ３００）において、注文端末３は、利用しているテーブル（注文端末３が設置されているテーブル）のテーブルコードに対応するレジューム情報を管理サーバー装置１から取得する（Ｓ３０１）。なお、レジューム情報を注文端末３で記憶管理する形態では、ＳＳＤ３５からレジューム情報が読み出される。そして、取得したレジューム情報中に、位置情報が記憶されているか否かが判定される（Ｓ３０２）。テーブルに着席後、初回の動画再生処理（Ｓ３００）では、位置情報はクリアされた状態となっており、レジューム情報中には位置情報は記憶されていない（Ｓ３０２：Ｙｅｓ）。この場合、タッチパネルモニター３２には、ユーザーに動画を選択させる動画選択画面が表示される（Ｓ３０３）。
【００５３】
図１１は、本実施形態の動画選択画面を示す図である。動画選択画面には、選択対象となる各動画について、図５で説明した動画管理情報に基づいて動画関連情報３１Ｂが表示される。また、本実施形態では、各動画について、動画タイトル３１Ｃ、動画サブタイトル３１Ｄ、サムネイル画像３１Ｅが表示されている。ユーザーは、この動画関連情報３１Ｂを参照し、サムネイル画像３１Ｅを選択操作することで視聴したい動画を選択する。また、動画選択画面には、ページ変更ボタン３１Ｇ、３１Ｈが設けられており、これらページ変更ボタン３１Ｇ、３１Ｈを操作することで、ページを変更し、選択対象となる動画を変更することが可能となっている。また、動画選択画面右上には、メニュー復帰ボタン３１Ａが設けられており、メニュー復帰ボタン３１Ａを操作することで、図８に示すような動画再生処理（Ｓ３００）へ移行する前のオーダー画面に戻ることが可能である。
【００５４】
ユーザーが視聴したい動画を選択した場合（Ｓ３０４：Ｙｅｓ）、選択された動画関連情報３１Ｂに対応する動画ＩＤが管理サーバー装置１へと送信され、動画ＩＤに対応する動画情報が注文端末３に送信される。注文端末３は受信した動画情報中の圧縮動画情報を再生し、タッチパネルモニター３２に動画を表示するとともに、スピーカーから音声を拡声させる（Ｓ３０５）。図１２は、本実施形態の動画再生画面を示す図である。動画再生画面には、再生された動画情報を表示する動画再生欄３１Ｊが設けられている。図１２に示す状態は、動画再生中、ユーザーが動画再生欄３１をタッチ操作したときの一時停止状態を示している。一時停止状態の動画再生欄３１Ｊには、動画再生位置を指定するシークバー３１Ｋ、一時停止状態を示すアイコンが表示されている。ユーザーが動画再生欄３１Ｊをタッチ操作することで、一時停止状態が解除され、動画の再生が再開される。なお、動画再生時には、シークバー３１Ｋ及び一時停止状態を示すアイコンは非表示となる。また、動画再生画面には、音量ボタン３１Ｆが設けられており、この音量ボタン３１Ｆを操作することで、スピーカーから拡声される音量を変更することが可能となっている。また、動画再生画面には、店員呼出ボタン３１Ｌが設けられている。店員呼出ボタン３１Ｌが操作された場合、管理サーバー装置１にテーブルコードが送信され、テーブルコードに対応した呼出ランプの点灯、あるいは、呼出音の拡声が行われる。ユーザーは、この店員呼出ボタン３１Ｌを操作することで、動画の視聴を中断することなく店員を呼び出すことが可能である。
【００５５】
ところで、本来、商品の注文を主たる目的として使用する注文端末３では、動画再生処理（Ｓ３００）中において、商品を注文する必要が生じる場合がある。そのため、この動画再生画面には、図１１の動画選択画面と同様、メニュー復帰ボタン３１Ａが設けられている。メニュー復帰ボタン３１Ａが操作された場合（Ｓ３０８：Ｙｅｓ）、再生中の動画を停止（Ｓ３０９）し、レジューム情報の更新（Ｓ３１０）、具体的には、レジューム情報中の再生している動画情報に対応する動画ＩＤ、そして、再生停止位置に関する位置情報の更新が行われる。再生停止位置に関する位置情報には、再生開始からの経過時間の他、再生中のチャプター情報等、各種形態を採用することが可能である。また、本実施形態では、管理サーバー装置１においてレジューム情報を記憶管理しているため、レジューム情報の更新は、管理サーバー装置１に記憶されたレジューム情報に対して行われる。
【００５６】
レジューム情報の更新（Ｓ３１０）の後、オーダー処理（Ｓ２００）を実行することで、ユーザーは、図８のオーダー画面等を使用して商品を注文することが可能となる。商品の注文に関する操作を終えたユーザーは、再度、種別選択欄３Ａ中、「動画」と表記されたタグを選択する（Ｓ２０２：Ｙｅｓ）ことで、動画再生処理（Ｓ３００）に復帰させることが可能である。視聴途中の動画があった場合、レジューム情報中には位置情報が記憶されている（Ｓ３０２：Ｙｅｓ）ため、レジューム情報に基づいて動画情報の再生が再開される（Ｓ３０６）。動画情報の再生再開は、レジューム情報に記憶されている動画ＩＤに対応する動画情報を、位置情報に対応する位置から再生させることになる。なお、再生再開する位置は、位置情報と同じ位置である必要は無く、例えば位置情報が再生開始からの経過時間である場合は位置情報の所定時間前とする、あるいは、例えば位置情報が再生停止した位置のチャプター情報である場合、当該チャプター情報もしくはその１つ前のチャプター情報とする等、各種形態を採用することが可能である。
【００５７】
このように本実施形態では、動画再生処理からオーダー処理に切り替えられた場合、レジューム情報の更新（Ｓ３１０）を行い、その後、オーダー処理から動画再生処理に切り替えられた場合、レジューム情報に基づいて動画情報の再生を再開する（Ｓ３０６）ことで、注文端末３における動画再生の利便性向上が図られている。
【００５８】
メイン処理（Ｓ１００）で説明したように、本実施形態ではバッシング完了指示（Ｓ１０４：Ｙｅｓ）に基づいて、レジューム情報中の動画ＩＤと位置情報をクリアするレジュームクリア処理（Ｓ１０５）が実行される。バッシング完了指示は、対象となるテーブルのテーブルコードを伴って入力され、ハッシング完了対象となったテーブルは、次の顧客の受け入れが整ったことになる。バッシング完了指示に応じてレジュームクリア処理（Ｓ１０５）を実行することで、動画再生処理（Ｓ３００）についても次の顧客の受け入れが整うことになる。本実施形態では、管理サーバー装置１においてレジューム情報を記憶管理しており、バッシング完了指示が入力された場合、それに付されたテーブルコードを参照し、テーブルコードに対応するレジューム情報中の動画ＩＤと位置情報がクリア（消去）される。なお、レジューム情報中の動画ＩＤと位置情報のクリアは、注文端末３で会計が指示されてから、次の着席指示までの期間であれば、いつ行うこととしてもよい。特に、同期間中にテーブルコードに対応して指示される他の指示（バッシング指示、会計指示、あるいは着席指示等）を使用してクリアすることで、従業員等は、レジューム情報に対してクリアするための特段の指示を必要としない。
【００５９】
ところで、本実施形態の注文端末３では、キッチンに配置された登録端末５２、あるいは、管理サーバー装置１等、注文端末３の外部から注文端末３に対して割込指示をかけることが可能である。割込指示を受信した注文端末３は、割込指示に対応する割込処理を実行する。割込処理としては、タイムセール、宣伝、広告など、店舗側が顧客に対して伝えたい情報を、注文端末３のタッチパネルモニター３２を使用して表示される。ここでは、割込処理として、登録端末５２で登録されたお奨めの商品を表示するタイムセールを例に取って説明する。図７のオーダー処理（Ｓ２００）において、外部から割込指示を受信した場合（Ｓ２０３：Ｙｅｓ）、割込処理（Ｓ４００）に移行する。また、図１０の動画再生処理（Ｓ３００）において、外部から割込指示を受信した場合（Ｓ３１１：Ｙｅｓ）、メニュー復帰ボタン３１Ａが操作された場合（Ｓ３０８：Ｙｅｓ）と同様、動画が再生停止（Ｓ３１２）され、レジューム情報が更新（Ｓ３１３）された後、割込処理（Ｓ４００）に移行する。
【００６０】
図１３は、本実施形態の割込処理（Ｓ４００）を示すフロー図であり、図１４は、本実施形態のタイムセール受注画面例である。タイムセール情報は、キッチンで使用される登録端末５２を使用して登録された情報であり、キッチンでの料理の進行状況に応じて登録される。割込処理（Ｓ４００）は、登録端末５２から直接、あるいは、管理サーバー装置１を経て、割込指示としてのタイムセール情報を受信することで開始される。注文端末３は、受信したタイムセール情報に基づいて、タイムセール受注画面を表示させる（Ｓ４０１）。注文端末３を顧客が使用中の場合、タイムセール受注画面の表示を待つことも考えられるが、前述したように販売可能数量が限定されたタイムセール商品では、品切れのため一刻を争う状況も考えられる。そのため、本実施形態では、注文端末３が操作中であっても、割り込む形態にてタイムセール受注画面を表示させ、タイムセール商品の販売開始をアピールすることとしている。
【００６１】
図１４は、割込処理（Ｓ４００）実行時に表示されるタイムセール受注画面である。タイムセール受注画面には、タイムセール情報に含まれる商品名、商品画像等、タイムセール商品に関する各種情報が表示される。顧客は、画面中央下方に表示された注文確定ボタン３Ｐを操作することで注文を確定することが可能となっている。本実施形態では、図８、図９で説明した通常のオーダーと異なり、カートを利用することなく、注文確定ボタン３Ｐを操作するのみで注文を確定、すなわち、タイムセール商品の注文情報が管理サーバー装置１などへ送信される。また、タイムセール商品に関する各種購入条件は、条件表示欄３Ｎに表示される。また、タイムセール商品の注文を希望しない顧客は、画面左下に表示されるもどるボタン３Ｒを操作することで、元の画面に戻ることが可能である。
【００６２】
図１３のフロー図において、注文確定ボタン３Ｐの操作が判定された場合（Ｓ４０２：Ｙｅｓ）、注文端末３は、管理サーバー装置１と通信することで、タイムセール商品の注文受理、不受理を判定する。タイムセール商品が販売可能数量に到達した場合、あるいは、注文を行ったテーブルが設定された条件を満たしていない場合には、当該注文は不受理として判定される（Ｓ４０４：Ｎｏ）。注文が受理された場合（Ｓ４０４：Ｙｅｓ）、タイムセール商品の注文を確定する（Ｓ４０５）。管理サーバー装置１は、タイムセール商品の注文情報を注文履歴情報として記憶するとともに、キッチン端末５あるいはキッチンプリンター５１などへ、タイムセール商品の注文を出力することで、キッチンに対してタイムセール商品の配膳指示を実行する。
【００６３】
また、各注文端末３におけるタイムセール商品の販売数は、タイムセール受注画面の右下に「ご注文数」として表示され、顧客は注文数を確認することが可能となっている。さらに、本実施形態では、タイムセール受注画面の中央に大きく残数表示３Ｑを表示することで、顧客に対してタイムセール商品の売れ行きをアピールすることとしている。この残数表示３Ｑに代え、タイムセール商品の販売数を表示することとしてもよい。このタイムセール商品の残数、販売数は、注文が確定する毎に、管理サーバー装置１からの指示で更新される。
【００６４】
注文が不受理となった場合（Ｓ４０４：Ｎｏ）や、注文を確定した（Ｓ４０５）ことによって、販売可能数量に達した、あるいは、設定された条件を満たさなくなった等、タイムセールの終了が判定された場合（Ｓ４０６：Ｙｅｓ）、あるいは、もどるボタン３Ｒが操作された場合（Ｓ４０２：Ｙｅｓ）、移動元の処理、すなわち、割込処理（Ｓ４００）の前に行っていた処理が判定される（Ｓ４０８）。移動元がオーダー処理（Ｓ４０８）の場合にはオーダー処理（Ｓ２００）が再開される。一方、移動元が動画再生処理（Ｓ３００）の場合には、動画再生処理（Ｓ３００）が再開される。動画再生処理（Ｓ３００）では、レジューム情報中の位置情報に基づき、動画の視聴を再開することが可能となっている。
【００６５】
このように本実施形態の注文端末３では、タイムセールのような割込処理（Ｓ４００）が行われた場合であっても、割込処理（Ｓ４００）の実行後、速やかに動画再生を再開させることが可能となっている。また、動画再生処理（Ｓ３００）期間中であっても、顧客に有益な情報を提供することができる。
【００６６】
ところで、飲食店等の店舗では会員登録しているユーザーに対してポイントを付与する等のサービスを実施することがある。会員登録しているユーザーに対して、動画再生に関する更なるサービスを提供することも可能である。図１５は、会員サービスを提供する店舗におけるテーブル情報、レジューム情報のデータ構成を示す図である。会員登録しているユーザーには、会員ＩＤが付与されている。来店時、会員カード等、会員ＩＤが記載された媒体を従業員に対して提示する、あるいは、会員ＩＤを記録しているＩＣカード、あるいは、スマートホン等を注文端末３のＮＦＣセンサー３６ｂ等に読み取らせることで、テーブル情報には会員ＩＤが書き込まれる。
【００６７】
また、会員ＩＤを使用した状態で、動画再生処理（Ｓ３００）を実行した場合、レジューム情報には、動画ＩＤ、位置情報に加えて会員ＩＤが書き込まれる。レジューム情報をクリアする際、会員ＩＤに対応付けて、動画ＩＤ、位置情報を管理サーバー装置１等に保存しておくことで、次回、来店した際、会員ＩＤに対応するレジューム情報を読み出すことで、前回来店時の続きから動画を再開させることが可能となる。このような形態では、顧客は飲食だけで無く、継続した動画鑑賞を来店の楽しみとすることが可能となり、店舗における顧客の誘引要素とすることが可能となる。
【００６８】
また、複数の店舗によるチェーン店展開が行われる場合がある。このような場合、レジューム情報中、会員ＩＤに対応付けた動画ＩＤ、位置情報をインターネット上のサーバー装置等に保存しておくことで、チェーン店展開している各店舗において利用可能することも可能である。例えば、Ａ店に来店して動画を視聴した顧客が、その後、Ａ店のチェーン店であるＢ店に来店した際、顧客の会員ＩＤに対応する動画ＩＤ、位置情報を読み出して使用することで、Ｂ店においてＡ店での続きから動画視聴を楽しむことが可能となる。同じ店舗の場合と同様、顧客誘引の一要素とすることが可能となる。
【符号の説明】
【００６９】
１：管理サーバー装置                      ２２：アクセスポイント
３：注文端末                              ３１：動画再生欄
３Ａ：種別選択欄                          ３１Ａ：メニュー復帰ボタン
３Ｂ：メニュー欄                          ３１Ｂ：動画関連情報
３Ｃ：操作ボタン                          ３１Ｃ：動画タイトル
３Ｄ：操作ボタン                          ３１Ｄ：動画サブタイトル
３Ｅ：選択商品名欄                        ３１Ｅ：サムネイル画像
３Ｆ：数量選択ボタン                      ３１Ｆ：音量ボタン
３Ｇ：選択商品欄                          ３１Ｇ：ページ変更ボタン
３Ｈ：注文確認ボタン                      ３１Ｈ：ページ変更ボタン
３Ｊ：注文商品欄                          ３１Ｊ：動画再生欄
３Ｋ：ボタン                              ３１Ｋ：シークバー
３Ｌ：注文確定ボタン                      ３１Ｌ：店員呼出ボタン
３Ｎ：条件表示欄                          ３２：タッチパネルモニター
３Ｐ：注文確定ボタン                      ３２ａ：表示部
３Ｑ：残数表示                            ３２ｂ：タッチパネル
３Ｒ：ボタン                              ３３：充電端子
３（３ａ〜３ｄ）：注文端末                ３４ａ：ＣＰＵ
４：充電台                                ３４ｂ：ＲＯＭ
５：キッチン端末                          ３４ｃ：ＲＡＭ
６：ウェイティング端末                    ３４ｄ：画像処理部
９ａ、９ｂ：ハンディーターミナル          ３４ｅ：音声処理部
１１ａ：ＣＰＵ                            ３６ａ：撮像手段
１１ｂ：ＲＯＭ                            ３６ｂ：ＮＦＣセンサー
１１ｃ：ＲＡＭ                            ３６ｃ：照度センサー
１１ｄ：画像処理部                        ３７ｂ：インターフェイス
１１ｅ：音声処理部                        ３８：無線通信部
１２：ＨＤＤ                              ３８ａ：アンテナ
１３：通信部                              ３９：バッテリー
１４：インターフェイス                    ４１：ＤＣ変換部
１６：レシートプリンター                  ４２：給電端子
１７：タッチパネルモニター                ４３：電源ライン
１７ａ：表示部                            ５１：キッチンプリンター
１７ｂ：タッチパネル                      ５１ｅ：音声処理部
１９：バッテリー                          ５２：登録端末
２１：ルーター                            Ｌｐ：電源線
【図１】
2017182651.tif 000003
【図２】
2017182651.tif 000004
【図３】
2017182651.tif 000005
【図４】
2017182651.tif 000006
【図５】
2017182651.tif 000007
【図６】
2017182651.tif 000008
【図７】
2017182651.tif 000009
【図８】
2017182651.tif 000010
【図９】
2017182651.tif 000011
【図１０】
2017182651.tif 000012
【図１１】
2017182651.tif 000013
【図１２】
2017182651.tif 000014
【図１３】
2017182651.tif 000015
【図１４】
2017182651.tif 000016
【図１５】
2017182651.tif 000017